(57)【特許請求の範囲】
【請求項１】
石材からなる基台に回転体を回転自在に支持するための円柱状の軸柱を立設し、他方上記基台の上部に支持柱を立設し、上記回転体に軸芯に沿って貫通孔を形成すると共にその貫通孔の下端部を拡径して段部を形成し、その貫通孔の下部に合成樹脂からなる芯出し材を挿入すると共にその芯出し材の下端に段部に沿って外周側に折り返された鍔部を形成し、上記芯出し材に軸孔を形成し、その後、上記基台に立設した軸柱にスラストベアリングを挿通して基台上に載置したのち、その軸柱に芯出し材を介して回転体を挿通させ、上記スラストベアリングを回転体の下部の段部に収容すると共にスラストベアリングの上面に芯出し材の鍔部を着座させ、その後軸柱と支持柱とで笠等を支持したことを特徴とする回転式仏具構造物。
【請求項２】
上記芯出し材の内周面に潤滑油を溜めるための油溜りを形成した請求項１記載の回転式仏具構造物。
【発明の詳細な説明】
【０００１】
【発明の属する技術分野】
本発明は、石材や木材製の摩尼車、供養塔、記念碑等を回転式にした回転式仏具構造物に関するものである。
【０００２】
【従来の技術】
一般に、墓には石塔や墓誌塔、供養塔等が設置されているが、これらはいずれも固定されたものである。
【０００３】
石塔は、直方体状の棹石の前面に家名や紋等が刻まれ、側面或いは背面に建立年月日や戒名等が刻まれている。石塔は固定式であるため、戒名等は、側面或いは背面に回り込まないと読むことができないが、近年、用地不足のため墓地面積が小さくなっており、回り込むのが困難であった。
【０００４】
墓誌塔は、埋葬された人の戒名が刻まれて、石塔の脇に設置されているが、平板状に形成されているため設置面積の割には多数の戒名を刻むことができないという問題があった。
【０００５】
そこで、特開平９−２７３３３４号公報に示すような、戒名や碑文等を刻む部分を回転式にすることによって、少ない設置面積で多くの碑文等をかくことができるようにした回転式石材構造物が考えられた。
【０００６】
図６に示すように、この回転式石材構造物５１は、基台５２の上部に軸棒５３が突設されている。この軸棒５３は、下部側の大径軸部５３ａと上部側の小径軸部５３ｂとからなり、この間の段差の上面に環状突起５４が形成されている。この軸棒５３が挿着される大径中空部５４ａと小径中空部５４ｂとが形成された回転体５５が設けられている。大径中空部５４ａと小径中空部５４ｂとの段差には、リング状軸受５６が設けられており、環状突起５４によって回転自在に支持されるようになっている。そして、回転体５５の上部から突出した軸棒５３の上部には、笠５７が支持されている。
【０００７】
【発明が解決しようとする課題】
しかしながら、上述の回転式石材構造物５１では、笠５７は軸棒５３のみに支持されているため、回転体５５を回転させる際に、若干ブレが発生することがあった。また、笠５７の上に石碑や仏像等の重量物を載せるとブレの発生が多くなってしまい、重量物を載せることができなかった。
【０００８】
さらに、上述の回転式石材構造物５１は、その回転体５５の中空部５４ａ，５４ｂが石材の加工で直接軸芯を出す構造となっているが、その加工に非常に多くの手間と時間がかかってしまうという問題もあった。
【０００９】
そこで、本発明は上記問題を解決するために案出されたものであって、その目的は、上部に重量物を載せることができると共に、軸孔の芯出しを容易に行うことができる回転式仏具構造物を提供することにある。
【００１０】
【課題を解決するための手段】
上記課題を解決するために、本発明は、石材からなる基台に回転体を回転自在に支持するための円柱状の軸柱を立設し、他方上記基台の上部に支持柱を立設し、上記回転体に軸芯に沿って貫通孔を形成すると共にその貫通孔の下端部を拡径して段部を形成し、その貫通孔の下部に合成樹脂からなる芯出し材を挿入すると共にその芯出し材の下端に段部に沿って外周側に折り返された鍔部を形成し、上記芯出し材に軸孔を形成し、その後、上記基台に立設した軸柱にスラストベアリングを挿通して基台上に載置したのち、その軸柱に芯出し材を介して回転体を挿通させ、上記スラストベアリングを回転体の下部の段部に収容すると共にスラストベアリングの上面に芯出し材の鍔部を着座させ、その後軸柱と支持柱とで笠等を支持したものである。
【００１１】
上記構成によれば、軸柱と支持柱との二本の柱で上部の笠等を支持するので、その支持強度が大きくなり安定度が向上する。従って、上部に石碑や仏像等の重量物を載せることができる。
【００１２】
また、上記芯出し材の内周面に潤滑油を溜めるための油溜りを形成するとよい。
【００１４】
【発明の実施の形態】
本発明の実施の形態を添付図面を用いて説明する。
【００１５】
図１は本発明に係る回転式仏具構造物の実施の形態を示した断面図である。
【００１６】
まず、上記回転式仏具構造物を石材で形成した場合を例に挙げて、その構造を説明する。
【００１７】
図示するように、回転式仏具構造物１には、石材からなる基台２が設けられ、その上部にステンレス製の円柱からなる軸柱３が立設されている。この軸柱３には回転体４が回転自在に設けられている。そして、上記軸柱３とは別個で、基台２の上部に支持柱５が立設されており、軸柱３と支持柱５とで上部に設けられた笠６等を支持するようになっている。
【００１８】
基台２の中心部よりやや前方側には、軸柱３を挿入するための縦孔７が縦方向に形成されている。縦孔７は基台２の下端に形成された凹部９まで貫通して形成されている。
【００１９】
また、縦孔７は凹部９の上方で所定高さ縮径され、軸柱３を支持するための段部１１が形成されている。縦孔７の段部１１よりも上方の内周には、軸芯を出すための芯出し材８が設けられており、その内部に軸柱３が挿入されている。芯出し材８は合成樹脂等の高分子化合物（具体的にはポリアセタールであるデルリン（E.I.du Pont de Nemours & Co.Inc.製）を用いる）からなり、その下端は段部１１に沿って、中心側に折り返されている。
【００２０】
軸柱３は下端部近傍が縮径されており、その縮径部１２にはネジ溝（図示せず）が形成されている。この軸柱３は、基台２の縦孔７に挿入され、縮径部１２の上端が段部１１で折り返された芯出し材８に係止されると共に、縮径部１２の下部が凹部９内に突出し、ワッシャ１４及びナット１５によって固定されている。
【００２１】
回転体４は、円柱状に形成されており、その軸芯に沿って貫通孔１６が形成されている。この貫通孔１６は、下端部近傍が拡径されており段部１７が形成されている。
【００２２】
貫通孔１６の段部１７よりも上方の内周には、芯出し材８が設けられており、その下端は、段部１７に沿って外周側に折り返されて鍔部１８が形成されている。この鍔部１８によって回転体４が支持されるようになっている。
【００２３】
鍔部１８の下部には、回転体４を回転自在に支持するためのスラストベアリング１９とこれを覆うベアリングカバ２１とが軸柱３を囲繞すると共に、基台２上に固定されて設けられている。
【００２４】
回転体４と芯出し材８とは固定されていると共に、芯出し材８の内周面には潤滑油が塗布されており、芯出し材８の内周面と軸柱３とが摺動して、回転体４が回転するようになっている。芯出し材８の内周面には、潤滑効果を持続させるために、溝状の油溜り２４が環状に形成されている。
【００２５】
なお、回転体４は円柱状に限られるものではなく、多角形柱状のものであってもよい。
【００２６】
笠６には、軸柱３を挿入するための縦孔２２が縦方向に形成されている。この縦孔２２の内周にも芯出し材８が設けられている。
【００２７】
基台２の後方側には、石材からなる支持柱５が立設されており、その上部には笠６が嵌合されて支持されている。すなわち、上部の笠６は、軸柱３と支持柱５とで支持され二点支持となる。
【００２８】
図２は上記回転式仏具構造物１を摩尼車に適用した場合の実施の形態を示した斜視図である。
【００２９】
図示するように、基台２の上部には回転体４と支持柱５とが設けられており、その上部には、支持柱５と回転体４の内部の軸柱（図示せず）とで支持された笠６が設けられている。
【００３０】
このように、笠６を二点支持としたことによって、その支持強度が大きくなり安定度及び耐震性が向上する。従って、その上部に石碑２３や仏像等の重量物を載せることが可能となった。
【００３１】
また、例えば、石碑２３には家名や紋等を刻み、回転体４には経文等を刻んでおけば、お参りした際に、回転体４を手で回転させることによって、正面から移動することなく、経文を読むことができる。
【００３２】
その他、上記回転式仏具構造物１を石塔に適用すれば、回転体４に家名、紋、建立年月日や戒名等を刻んで、その回転体４を手で回転させることによって、側面や背面に回り込むことなく文字を読むことができる。
【００３３】
また、上記回転式仏具構造物１を墓誌塔に適用すれば、少ない設置面積で多くの戒名を刻むことができる。
【００３４】
なお、上記回転式仏具構造物１は、上記形状に限られず、図３に示すように、基台２の下部に空洞２６が形成された台石２７が設けられ、笠６が屋根状に形成された回転式仏具構造物１であってもよい。
【００３５】
次に、芯出し材８の加工工程を、図４に示す芯出し工程を説明するための断面図に従って説明する。なお、図４では、回転体４の芯出し工程を例に挙げて説明する。
【００３６】
図４（ａ）に示すように、まず、円柱状の石材に、その軸芯に沿って断面円形の貫通孔１６を明けて回転体４を形成する。このとき、貫通孔１６の加工精度は、軸芯を出す程高くなくてもよく、石材の加工が容易になり、その手間と時間が低減できる。これは、後工程で芯出し材８を設けるためである。
【００３７】
これと同時に、合成樹脂等の高分子化合物からなる芯出し材８を成形する。上側の芯出し材８は、上端部近傍が貫通孔１６の径よりも若干大きい径となるように拡径しておく。下側の拡径されていない部分には、リング状の溝部２５を形成する。これは、芯出し材８を貫通孔１６に挿入する際に、拡径されていない部分に接着剤が塗布されるが、その接着剤を溝部２５に溜めて、その接着性を向上させるためのものである。
【００３８】
下側の芯出し材８は、下端部近傍が貫通孔１６の径よりも若干大きい径となるように拡径しておくと共に、下端には予め鍔部１８を形成する。下側の拡径されていない部分には、上記と同様にリング状の溝部２５を形成する。
【００３９】
次に、図４（ｂ）に示すように、上記芯出し材８に接着剤を塗布し、回転体４の上下から貫通孔１６に挿入して充填し、固定する。このとき、芯出し材８の拡径部分が貫通孔１６に圧入されることとなるが、芯出し材８は比較的軟らかいので、回転体４に圧入しても、回転体４が破損することがない。
【００４０】
なお、図４においては、回転体４の高さが高いため、芯出し材８を上下に設けるようにしたが、回転体４の高さが低い場合には、図１に示すように芯出し材８は、所定高さを有して下側のみに設ければよい。
【００４１】
また、芯出し材８は、貫通孔１６の全長に渡って設けるようにしてもよいが、貫通孔１６の中間部には芯出し材８を設けない方が、摩擦係数が小さくなり回転体４が回転しやすくなる点で優れている。
【００４２】
そして、図４（ｃ）に示すように、芯出し材８に軸芯を出しながら軸孔１０を明ける。その加工は、回転体４を固定し、ドリル等で孔明けを行う。このように、芯出しを、加工が困難な石材ではなく、比較的軟らかく加工が容易である高分子化合物からなる芯出し材８の孔明け加工で行うことによって、芯出しを容易に且つ確実に行うことができる。
【００４３】
最後に、芯出し材８の内周面に溝状の油溜り２４を環状に形成する。
【００４４】
基台２及び笠６の軸孔１０も上記と同様の工程で形成される。
【００４５】
なお、上記実施の形態においては、軸柱３の他に支持柱５を一本設け、二点支持となるようにしたが、さらに複数の支持柱５を設けるようにしてもよい。また、図５に示すように、支持柱５を、回転体４の後方及び側方を覆うような形状にしてもよい。これによれば、安定度及び耐震性がさらに向上する。
【００４７】
【発明の効果】
以上要するに本発明によれば、軸柱と支持柱との二点支持にしたことによって上部に石碑や仏像等の重量物を載せることができると共に、回転体の貫通孔に芯出し材を設けたことによって、軸孔の芯出しを容易に行うことができるという優れた効果を発揮する。
【図面の簡単な説明】
【図１】本発明に係る回転式仏具構造物の実施の形態を示した断面図である。
【図２】本発明に係る回転式仏具構造物の実施の形態を示した斜視図である。
【図３】本発明に係る回転式仏具構造物の他の実施の形態を示した斜視図である。
【図４】回転体の芯出し工程を説明するための（ａ）は第一工程断面図、（ｂ）は第二工程断面図、（ｃ）は第三工程断面図である。
【図５】本発明に係る回転式仏具構造物のさらに他の実施の形態を示した斜視図である。
【図６】従来の回転式仏具構造物を示した断面図である。
【符号の説明】
１  回転式仏具構造物
２  基台
３  軸柱
４  回転体
５  支持柱
６  笠
８  芯出し材
１０  軸孔
１６  貫通孔
【図１】
0003658515.tif 000002
【図２】
0003658515.tif 000003
【図３】
0003658515.tif 000004
【図４】
0003658515.tif 000005
【図５】
0003658515.tif 000006
【図６】
0003658515.tif 000007